(57)【要約】【課題】撮像装置を通信装置に装着する作業を容易化し、装着完了前に撮影準備動作が開始されることによる誤った操作や取扱いなどを低減することができる技術を実現する。【解決手段】通信装置に装着可能な撮像装置であって、前記通信装置と通信を行う通信手段と、前記通信装置に装着されたか否かを判定する判定手段と、前記通信装置との通信を開始した後、前記通信装置に装着されたと判定されたときに、撮影準備動作を行う制御手段と、を有する。【選択図】図５
2017060048.tif 000002
【特許請求の範囲】
【請求項１】
通信装置に装着可能な撮像装置であって、
前記通信装置と通信を行う通信手段と、
前記通信装置に装着されたか否かを判定する判定手段と、
前記通信装置との通信を開始した後、前記通信装置に装着されたと判定されたときに、撮影準備動作を行う制御手段と、を有することを特徴とする撮像装置。
【請求項２】
前記撮影準備動作は、レンズ鏡筒を繰り出す動作であることを特徴とする請求項１に記載の撮像装置。
【請求項３】
前記通信装置に装着するための装着手段と、
前記通信装置に装着された状態で物理的に変位するスイッチと、を更に有し、
前記判定手段は、前記スイッチの状態から前記通信装置に装着されたか否かを判定することを特徴とする請求項１又は２に記載の撮像装置。
【請求項４】
前記通信装置と近距離無線通信を行う第２の通信手段を更に有し、
前記判定手段は、前記第２の通信手段が前記通信装置と通信を行った結果に基づいて前記通信装置に装着されたか否かを判定することを特徴とする請求項１又は２に記載の撮像装置。
【請求項５】
前記通信装置に装着された状態であることを前記通信装置に通知する通知手段を更に有することを特徴とする請求項１乃至４のいずれか１項に記載の撮像装置。
【請求項６】
前記制御手段は、前記通信装置に装着されていないと判定された場合であっても、前記通信装置から指示を受け付けたならば前記撮影準備動作を行うことを特徴とする請求項１乃至５のいずれか１項に記載の撮像装置。
【請求項７】
撮像装置が装着可能な通信装置であって、
前記撮像装置と通信を行う通信手段と、
前記撮像装置が装着されたか否かを判定する判定手段と、
前記通信装置との通信を開始した後、前記撮像装置が装着されたと判定されたときに、前記撮像装置に撮影準備動作の開始要求を送信する送信手段と、を有することを特徴とする通信装置。
【請求項８】
前記撮像装置から当該撮像装置が前記通信装置に装着された状態である旨の通知を受信する受信手段と、
前記通知を受信した場合、前記撮像装置が前記通信装置に装着された状態であることを表示する表示手段と、を更に有することを特徴とする請求項７に記載の通信装置。
【請求項９】
前記撮像装置と近距離無線通信を行う第２の通信手段を更に有し、
前記判定手段は、前記第２の通信手段が前記撮像装置と通信を行った結果に基づいて前記撮像装置が装着されたか否かを判定することを特徴とする請求項７に記載の通信装置。
【請求項１０】
前記送信手段は、前記撮像装置から装着通知を受信していない場合であっても、ユーザ操作に応じて前記撮影準備動作の開始要求を送信することを特徴とする請求項８に記載の通信装置。
【請求項１１】
前記送信手段は、前記撮像装置が装着されていない場合であっても、ユーザ操作に応じて前記撮影準備動作の開始要求を送信することを特徴とする請求項９に記載の通信装置。
【請求項１２】
通信装置に装着可能な撮像装置の制御方法であって、
前記通信装置と通信を行う工程と、
前記通信装置に装着されたか否かを判定する工程と、
前記通信装置との通信を開始した後、前記通信装置に装着されたと判定されたときに、撮影準備動作を行う工程と、を有することを特徴とする制御方法。
【請求項１３】
撮像装置が装着可能な通信装置の制御方法であって、
前記撮像装置と通信を行う工程と、
前記撮像装置が装着されたか否かを判定する工程と、
前記通信装置との通信を開始した後、前記撮像装置が装着されたと判定されたときに、前記撮像装置に撮影準備動作の開始要求を送信する工程と、を有することを特徴とする制御方法。
【請求項１４】
コンピュータを、請求項１乃至６のいずれか１項に記載された撮像装置の各手段として機能させるプログラム。
【請求項１５】
コンピュータを、請求項７乃至１１のいずれか１項に記載された通信装置の各手段として機能させるプログラム。
【発明の詳細な説明】
【技術分野】
【０００１】
本発明は、撮像装置を通信装置により遠隔制御する技術に関する。
【背景技術】
【０００２】
近年では、デジタルカメラなどの撮像装置に簡易的なアクセスポイント機能を搭載したものが知られている。デジタルカメラが簡易的なアクセスポイント機能を起動すると、携帯電話やスマートフォン（以下、スマートフォンと総称する）などの外部機器がデジタルカメラをアクセスポイントとして検知し、デジタルカメラが形成したネットワークに参加することで、デジタルカメラと他の装置を容易に通信させることができる。これにより、スマートフォンを操作して、デジタルカメラを遠隔制御することが可能となる。また、デジタルカメラをスマートフォンに装着し、スマートフォンを操作して画像撮影を行うことができるデジタルカメラも知られている。
【０００３】
本体と付属品の装着状態に関しては、特許文献１で、レンズキャップの装着状態を検出し、ＩＣタグからの送信電波を受信できなかった場合、本体の音声発生、ストロボ・補助光を発して、ユーザに警告して、紛失・盗難を防止する方法が開示されている。
【先行技術文献】
【特許文献】
【０００４】
【特許文献１】特開２００７−２７４５１５号公報
【発明の概要】
【発明が解決しようとする課題】
【０００５】
上述のようにデジタルカメラをスマートフォンに装着して使用する場合、ユーザは、まずデジタルカメラとスマートフォンとを通信可能に接続する。この場合、ユーザは、デジタルカメラの電源をオンにするか、近距離無線通信（Ｎｅａｒ Ｆｉｅｌｄ Ｃｏｍｍｕｎｉｃａｔｉｏｎ：ＮＦＣ）を利用してスマートフォンとデジタルカメラとを接触させる。いずれの場合であっても、デジタルカメラがスマートフォンに装着される前にレンズ鏡筒が繰り出されてしまう。このように、装着完了前にレンズ鏡筒が繰り出されてしまうと、デジタルカメラをスマートフォンに装着する作業の妨げになったり、誤操作の原因となる可能性がある。また、ユーザは不用意なレンズ鏡筒の繰り出しに対してレンズに触れないように取り扱いにも注意を要する。
【０００６】
上記特許文献１では、本体と付属品の装着状態を検出して、ユーザにその状態を通知しているが、上述した課題に対しては装着状態を通知するだけでは十分とは言えない。
【０００７】
本発明は、上記課題に鑑みてなされ、その目的は、撮像装置を通信装置に装着する作業を容易化し、装着完了前に撮影準備動作が開始されることによる誤った操作や取扱いなどを低減することができる技術を実現することである。
【課題を解決するための手段】
【０００８】
上記課題を解決し、目的を達成するために、本発明の撮像装置は、通信装置に装着可能な撮像装置であって、前記通信装置と通信を行う通信手段と、前記通信装置に装着されたか否かを判定する判定手段と、前記通信装置との通信を開始した後、前記通信装置に装着されたと判定されたときに、撮影準備動作を行う制御手段と、を有する。
【０００９】
また、本発明の通信装置は、撮像装置が装着可能な通信装置であって、前記撮像装置と通信を行う通信手段と、前記撮像装置が装着されたか否かを判定する判定手段と、前記通信装置との通信を開始した後、前記撮像装置が装着されたと判定されたときに、前記撮像装置に撮影準備動作の開始要求を送信する送信手段と、を有する。
【発明の効果】
【００１０】
本発明によれば、撮像装置を通信装置に装着する作業を容易化し、装着完了前に撮影準備動作が開始されることによる誤った操作や取扱いなどを低減することができる。
【図面の簡単な説明】
【００１１】
【図１】本実施形態のデジタルカメラの構成を示すブロック図。
【図２】本実施形態のスマートフォンの構成を示すブロック図。
【図３】本実施形態のデジタルカメラをスマートフォンに装着して使用する場合の説明図。
【図４】本実施形態のデジタルカメラの装着検知スイッチの構成及び機能を説明する図。
【図５】実施形態１のデジタルカメラがスマートフォンに装着される際のデジタルカメラの動作を示すフローチャート。
【図６】実施形態１のデジタルカメラがスマートフォンに装着される際のスマートフォンの動作を示すフローチャート。
【図７】本実施形態のスマートフォンに表示されるカメラアプリケーション画面を例示する図。
【図８】実施形態２のデジタルカメラがスマートフォンに装着される際のデジタルカメラの動作を示すフローチャート。
【図９】実施形態２のデジタルカメラがスマートフォンに装着される際のスマートフォンの動作を示すフローチャート。
【発明を実施するための形態】
【００１２】
以下に、本発明を実施するための形態について詳細に説明する。尚、以下に説明する実施の形態は、本発明を実現するための一例であり、本発明が適用される装置の構成や各種条件によって適宜修正または変更されるべきものであり、本発明は以下の実施の形態に限定されるものではない。また、後述する各実施形態の一部を適宜組み合わせて構成しても良い。
【００１３】
［実施形態１］本発明の通信装置および撮像装置として携帯電話の一種であるスマートフォンと、スマートフォンに装着可能なデジタルカメラに適用し、スマートフォンとデジタルカメラとが通信可能に接続されるシステムについて説明する。なお、本発明は、撮像装置としてスマートフォンに装着可能なカメラ機能を有する装置であれば適用可能である。また、本実施形態では、通信装置としてスマートフォンを想定しているが、デジタルカメラが装着可能でかつ無線通信可能な装置であれば、例えば、携帯型のメディアプレーヤ、タブレット端末、パーソナルコンピュータなどにも適用可能である。
【００１４】
＜デジタルカメラ１００の構成＞図１を参照して、本発明に係る実施形態のデジタルカメラ１００の構成および機能の概略について説明する。
【００１５】
図１において、撮影レンズ１０２はズームレンズ、フォーカスレンズを含むレンズ群である。シャッター１０３は絞り機能を備える。撮像部１０４は光学像を電気信号に変換するＣＣＤやＣＭＯＳ等で構成される撮像素子である。Ａ／Ｄ変換器１０５は、撮像部１０４から出力されるアナログ信号をデジタル信号に変換する。バリア１０１は、デジタルカメラ１００の、撮影レンズ１０２を含む撮像系を覆うことにより、撮影レンズ１０２、シャッター１０３、撮像部１０４を含む撮像系の汚れや破損を防止する。
【００１６】
画像処理部１１１は、Ａ／Ｄ変換器１０５からのデータ、又は、メモリ制御部１０８からのデータに対し所定の画素補間、縮小といったリサイズ処理や色変換処理を行う。また、画像処理部１１１では、撮像した画像データを用いて所定の演算処理が行われ、得られた演算結果に基づいてシステム制御部１２１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１１１ではさらに、撮像した画像データを用いて所定の演算処理を行い、得られた演算結果に基づいてＴＴＬ方式のＡＷＢ（オートホワイトバランス）処理も行っている。
【００１７】
Ａ／Ｄ変換器１０５からの出力データは、画像処理部１１１及びメモリ制御部１０８を介して、或いは、メモリ制御部１０８を介してメモリ１０９に直接書き込まれる。メモリ１０９は、撮像部１０４によって得られ、Ａ／Ｄ変換器１０５によりデジタルデータに変換された画像データを格納する。メモリ１０９は、所定枚数の静止画や所定時間の動画および音声を格納するのに十分な記憶容量を備えている。
【００１８】
不揮発性メモリ１２４は、電気的に消去・記録可能なメモリであり、例えばＥＥＰＲＯＭ等が用いられる。不揮発性メモリ１２４には、システム制御部１２１の動作用の定数、プログラム等が記憶される。ここでいう、プログラムとは、本実施形態にて後述する各種フローチャートを実行するためのプログラムのことである。
【００１９】
システム制御部１２１は、デジタルカメラ１００全体を制御する。前述した不揮発性メモリ１２４に記録されたプログラムを実行することで、後述する本実施形態の各処理を実現する。システムメモリ１２３は、ＲＡＭが用いられる。システムメモリ１２３には、システム制御部１２１の動作用の定数、変数、不揮発性メモリ１２４から読み出したプログラム等を展開する。
【００２０】
システムタイマー１２２は各種制御に用いる時間や、内蔵された時計の時間を計測する計時部である。
【００２１】
モード切替スイッチ１１５、第１シャッタースイッチ１１９、第２シャッタースイッチ１２０、操作部１１３はシステム制御部１２１に各種の動作指示を入力するための操作手段である。
【００２２】
モード切替スイッチ１１５は、システム制御部１２１の動作モードを静止画撮影モード、動画記録モード等のいずれかに切り替える。静止画撮影モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ１１５で、静止画撮影モードに含まれるこれらのモードのいずれかに直接切り替えられる。あるいは、モード切替スイッチ１１５で静止画撮影モードに一旦切り替えた後に、静止画撮影モードに含まれるこれらのモードのいずれかに、他の操作部材を用いて切り替えるようにしてもよい。同様に、動画記録モードにも複数のモードが含まれていてもよい。
【００２３】
第１シャッタースイッチ１１９は、デジタルカメラ１００に設けられたシャッターボタン１１４の操作途中、いわゆる半押し（撮像準備指示）でオンとなり、第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００２４】
第２シャッタースイッチ１２０は、シャッターボタン１１４の操作完了、いわゆる全押し（撮像指示）でオンとなり、第２シャッタースイッチ信号ＳＷ２を発生する。システム制御部１２１は、第２シャッタースイッチ信号ＳＷ２により、撮像部１０４からの信号読み出しから記録媒体１２８に画像データを書き込むまでの一連の撮影処理の動作を開始する。
【００２５】
電源制御部１１７は、電池検出回路、ＤＣ−ＤＣコンバータ、通電するブロックを切り替えるスイッチ回路等により構成され、電池の装着の有無、電池の種類、電池残量の検出を行う。また、電源制御部１１７は、その検出結果及びシステム制御部１２１の指示に基づいてＤＣ−ＤＣコンバータを制御し、必要な電圧を必要な期間、記録媒体１２８を含む各部へ供給する。
【００２６】
電源部１１８は、アルカリ電池やリチウム電池等の一次電池やＮｉＣｄ電池やＮｉＭＨ電池、リチウムイオン電池等の二次電池、ＡＣアダプタ等からなる。記録媒体Ｉ／Ｆ１２７は、メモリーカードやハードディスク等の記録媒体１２８とのインターフェースである。記録媒体１２８は、撮影された画像を記録するためのメモリーカード等の記録媒体であり、半導体メモリや磁気ディスク等から構成される。
【００２７】
通信Ｉ／Ｆ１１０は、インターネット等のネットワーク１１２に通信可能に接続された外部機器と映像や音声の送受信を行うインターフェースであり、例えば無線ＬＡＮやＢｌｕｅｔｏｏｔｈ（登録商標）などの無線インターフェースや、ＵＳＢなどの有線インターフェースが用いられる。通信Ｉ／Ｆ１１０はネットワーク１１２を介して、撮像部１０４で撮像された画像（ライブビュー映像を含む）や記録媒体１２８に記録された画像ファイルを外部機器に送信でき、また、外部機器から画像データやその他の各種情報を受信できる。
【００２８】
音声出力部１２５は、スピーカを備え、セルフタイマーのカウントダウン音やシャッターの開閉に合わせたシャッター音その他の操作音、動画再生時の動画の音声などを発音する。
【００２９】
発光部１２６は、ＬＥＤ（発光ダイオード）などを備える。発光部１２６は、所定の発光／非発光のパターンによって被写体にデジタルカメラ１００の動作状態（例えば、セルフタイマーのカウントダウン中や撮影の開始／終了など）を通知したり、被写体を照明するために閃光するストロボ機能を備える。発光部１２６は被写体側から視認できるようにカメラ前面（被写体側、撮像面側）に配置されている。
【００３０】
表示部１２９は、ＬＣＤ等の表示器上に、電池残量や記録媒体１２８の装着の有無、スマートフォン２００への装着状態などの表示を行う。
【００３１】
カメラ装着検知部１３０は、後述する物理的に変位するスイッチであり、システム制御部１２１はカメラ装着検知部１３０のスイッチのオン、オフ状態からスマートフォン２００に対する装着の有無を判定し、レンズ鏡筒１０２ａの繰り出しを制御する。
【００３２】
近距離無線通信部１３１は、ＮＦＣ（Ｎｅａｒ Ｆｉｅｌｄ Ｃｏｍｍｕｎｉｃａｔｉｏｎ）やＢｌｕｅｔｏｏｔｈなどを利用して外部機器（スマートフォン２００を含む）と通信するインターフェースである。
【００３３】
＜スマートフォン２００の構成＞次に、図２を参照して、本発明に係る実施形態のスマートフォン２００の構成および機能の概略について説明する。
【００３４】
本実施形態のスマートフォン２００は、上述したデジタルカメラ１００と略同様の構成および機能を備えている。よって、図２では、デジタルカメラ１００と同様の構成要素については３桁目の符号を２（２００番台）とし、デジタルカメラ１００と異なる点を中心に説明を行う。
【００３５】
本実施形態のスマートフォン２００は、アプリケーションをインストールすることで、種々の機能を実行することができるものとする。スマートフォン用のカメラアプリケーションの中には市販のデジタルカメラを遠隔制御できる機能を提供するものがあり、スマートフォン２００には、デジタルカメラ１００を遠隔制御するためのカメラアプリケーションがインストールされている。なお、カメラアプリケーションはスマートフォン２００の出荷時点で予めインストールされていても良いし、スマートフォン２００を購入した後に、ユーザ操作によりインストールされても良い。
【００３６】
本実施形態のスマートフォン２００は、マイクなどの音声入力部２２９を備え、音声出力部２２５および音声入力部２２９を介して他の通信機器のユーザと会話することが可能となる。
【００３７】
通信Ｉ／Ｆ２１０は、電話回線を介し音声データを送受信することで通話が可能となる。
【００３８】
近距離無線通信部２４０は、ＮＦＣ（Ｎｅａｒ Ｆｉｅｌｄ Ｃｏｍｍｕｎｉｃａｔｉｏｎ）やＢｌｕｅｔｏｏｔｈなどを利用して外部機器（デジタルカメラ１００を含む）と通信するインターフェースである。
【００３９】
また、スマートフォン２００は、バリア２０１、撮影レンズ２０２、シャッター２０３、撮像部２０４からなる単一のカメラモジュール（以下、リアカメラ）を内蔵し、表示部２０７とは反対側の筐体面にリアカメラとして取り付けられる。リアカメラは主としてスマートフォン２００を保持するユーザが、他の被写体を撮影するために用いられる。
【００４０】
また、スマートフォン２００は、バリア２３１、撮影レンズ２３２、シャッター２３３、撮像部２３４からなる単一のカメラモジュール（以下、フロントカメラ）を内蔵し、表示部２０７側の筐体面にフロントカメラとして取り付けられる。フロントカメラは主としてスマートフォン２００を保持するユーザ側の被写体（ユーザを含む）を撮影するために用いられる。
【００４１】
メモリ２０９は、撮像部２０４、２３４によって得られ、Ａ／Ｄ変換器２０５によりデジタルデータに変換された画像データや、表示部２０７に表示するための画像データを格納する。メモリ２０９は、所定枚数の静止画や所定時間の動画および音声を格納するのに十分な記憶容量を備えている。
【００４２】
また、メモリ２０９は画像表示用のメモリ（ビデオメモリ）を兼ねている。Ｄ／Ａ変換器２０６は、メモリ２０９に格納されている画像表示用のデータをアナログ信号に変換して表示部２０７に供給する。こうして、メモリ２０９に書き込まれた表示用の画像データはＤ／Ａ変換器２０６を介して表示部２０７により表示される。表示部２０７は、ＬＣＤ等の表示器上に、Ｄ／Ａ変換器２０６からのアナログ信号に応じた表示を行う。Ａ／Ｄ変換器２０５によって一旦Ａ／Ｄ変換され、メモリ２０９に蓄積されたデジタル信号をＤ／Ａ変換器２０６においてアナログ変換し、表示部２０７に逐次転送して表示することで、電子ビューファインダとして機能し、スルー画像表示を行える。なお、スルー画像を言い換えるとライブビュー画像、スルー画像表示を言い換えるとライブビューであるものとする。
【００４３】
そして、システム制御部２２１はメモリ２０９、Ｄ／Ａ変換器２０６、表示部２０７等を制御することにより表示制御を行う。
【００４４】
操作部２１３の各操作部材は、表示部２０７に表示される種々の機能アイコンを選択操作することなどにより、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２０７に表示される。ユーザは、表示部２０７に表示されたメニュー画面を用いて直感的に各種設定を行うことができる。
【００４５】
不揮発性メモリ２２４には、システム制御部２２１の動作用の定数、プログラム、カメラアプリケーション等が記憶される。なお、不揮発性メモリ２２４には、デジタルカメラ１００と通信するためのプログラムが格納され、カメラアプリケーションとしてインストールされているものとする。なお、本実施形態のスマートフォン２００によるカメラ制御は、カメラアプリケーションにより提供されるプログラムを読み込むことにより実現される。なお、カメラアプリケーションはスマートフォン２００にインストールされたＯＳの基本的な機能を利用するためのプログラムを有しているものとする。なお、スマートフォン２００のＯＳが本実施形態における処理を実現するためのプログラムを有していても良い。
【００４６】
操作部２１３は、表示部２０７に対する接触を検知可能なタッチパネルを含み、ユーザが表示部２０７上に表示された画面を直接的に操作可能であるかのようなＧＵＩを構成することができる。システム制御部２２１は、ユーザがタッチパネルにタッチしたことを検知し、タッチ位置に応じた処理を実行する。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００４７】
システム制御部２２１は、タッチパネルへの以下の操作を検出できる。タッチパネルを指やペンで触れたこと（以下、タッチダウン）。タッチパネルを指やペンで触れている状態であること（以下、タッチオン）。タッチパネルを指やペンで触れたまま移動していること（以下、スライド）。タッチパネルへ触れていた指やペンを離したこと（以下、タッチアップ）。タッチパネルに何も触れていない状態（以下、タッチオフ）。これらの操作や、タッチパネル上に指やペンが触れている位置座標はシステム制御部２２１に通知され、システム制御部２２１は通知された情報に基づいてタッチパネル上にどのような操作が行われたかを判定する。タッチダウンされてからスライドを行わずに所定時間内にタッチアップをしたとき、タップが行われたこととする。タップは一瞬だけタッチパネルをタッチする操作であり、項目の指定やボタンの押下など、マウスでいうクリックと同等の操作として用いられることが多い。タッチパネル上をタッチダウンから一定のスライドを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でスライドしたことが検出され、そのままタッチアップが検出されるとフリックが行われたと判定できる。また、所定距離以上を、所定速度未満でスライドしたことが検出された場合はドラッグが行われたと判定するものとする。
【００４８】
＜ユースケースの説明＞次に、図３を参照して、本実施形態のデジタルカメラ１００をスマートフォン２００に装着して使用する場合について説明する。
【００４９】
本実施形態では、デジタルカメラ１００とスマートフォン２００は、外部アクセスポイント（ＡＰ）を介さずに直接接続される。この場合は、デジタルカメラ１００が簡易ＡＰとして動作して無線ＬＡＮネットワークを形成する。デジタルカメラ１００は簡易ＡＰとして動作すると、ビーコン信号の定期的な送信を開始する。スマートフォン２００はビーコン信号を検知し、デジタルカメラ１００が形成した無線ＬＡＮネットワークに参加する。デジタルカメラ１００とスマートフォン２００は、互いの機器の発見や能力情報の取得などを経て通信を確立する。ユーザはスマートフォン２００のアプリケーション画面を操作することによりデジタルカメラ１００に撮影準備指示や撮影指示を送信し、ライブビュー画像の表示や撮影を行うことができる。
【００５０】
本実施形態では、図３（ａ）に示すように、ユーザは、デジタルカメラ１００をスマートフォン２００に装着して使用するケースを想定している。スマートフォン２００は、デジタルカメラの撮像部１０４を動作させるよう制御し、表示部２０７にライブビュー画像を表示する。このようにデジタルカメラ１００をスマートフォン２００に装着して使用することで、従来のデジタルカメラと同じ感覚で撮影を行うことが可能となる。
【００５１】
図３（ｂ−１）、（ｂ−２）は、デジタルカメラ１００とスマートフォン２００を装着する際のユースケースを例示している。ユーザは、まずデジタルカメラ１００とスマートフォン２００とを通信可能に接続する。この場合、ユーザは、図３（ｂ−１）のようにデジタルカメラ１００の電源スイッチ１１６をオンにするか、図３（ｂ−２）のようにＮＦＣを利用してスマートフォン２００とデジタルカメラ１００とを接触させる。従来は、いずれの方法であっても、デジタルカメラ１００がスマートフォン２００に装着される前にレンズ鏡筒１０２ａが繰り出されてしまう。
【００５２】
＜デジタルカメラの装着判定方法＞次に、図４を参照して、デジタルカメラ１００のカメラ装着検知部１３０の構成及び機能について説明する。
【００５３】
本実施形態では、デジタルカメラ１００がスマートフォン２００に装着される前にレンズ鏡筒１０２ａが繰り出されてしまう状況を回避するために、デジタルカメラ１００に物理的に変位する装着検知スイッチ４０２を設けている。そして、システム制御部１２１は、カメラ装着検知部１３０としての装着検知スイッチ４０２が押し込まれた状態を装着完了状態と判定してレンズ鏡筒１０２ａを繰り出すように制御する。
【００５４】
図４において、デジタルカメラ１００の背面（スマートフォン２００が装着される側）には、スマートフォン２００に装着するためのアタッチメント４０１が設けられおり、アタッチメント４０１をスマートフォン２００の外縁部に装着することで固定される。また、デジタルカメラ１００の背面には装着検知スイッチ４０２が設けられており、デジタルカメラ１００がスマートフォン２００に装着されると、装着検知スイッチ４０２が押し込まれてオンとなる。システム制御部１２１は、装着検知スイッチ４０２から出力されるオン信号からデジタルカメラ１００が装着された状態と判定し、レンズ鏡筒１０２ａを繰り出す。
【００５５】
デジタルカメラ１００がスマートフォン２００に装着されたことを検出する他の方法として、近距離無線通信（Ｎｅａｒ Ｆｉｅｌｄ Ｃｏｍｍｕｎｉｃａｔｉｏｎ：ＮＦＣ）を利用することもできる。この場合、ＮＦＣによりスマートフォン２００とデジタルカメラ１００との接触を検出し、Ｂｌｕｅｔｏｏｔｈ（登録商標）の無線通信の受信信号強度から算出されるスマートフォン２００とデジタルカメラ１００との距離が所定の閾値よりも接近した場合に、デジタルカメラ１００がスマートフォン２００に装着されたと判定することができる。
【００５６】
なお、ユーザがデジタルカメラ１００をスマートフォン２００に装着しないで撮影する場合に、デジタルカメラ１００に撮影準備動作を行わせるためには、例えば、装着検知スイッチ４０２を押し込み状態のままロックしたり、操作部１１３に含まれるズームボタンを操作したり、スマートフォン２００のカメラアプリケーションによる遠隔制御などの手段を用いることができる。
【００５７】
＜デジタルカメラの動作＞次に、図５を参照して、本実施形態のデジタルカメラ１００がスマートフォン２００に装着される際のデジタルカメラ１００動作について説明する。
【００５８】
なお、図５の処理は、デジタルカメラ１００の電源をオンすると開始され、不揮発性メモリ１２４に記録されたプログラムを、システムメモリ１２３に読み出してシステム制御部１２１が実行することにより実現する。後述する図８も同様である。また、近距離無線通信（ＮＦＣ）を利用した場合は、デジタルカメラ１００とスマートフォン２００を接触させた時点から動作が開始される。
【００５９】
ステップＳ５０１では、システム制御部１２１は通信Ｉ／Ｆ１１０を制御して、簡易ＡＰ機能で無線ＬＡＮネットワークを形成する。
【００６０】
ステップＳ５０２では、システム制御部１２１は通信Ｉ／Ｆ１１０を制御して、スマートフォン２００との通信を確立する。
【００６１】
ステップＳ５０３では、システム制御部１２１は装着検知スイッチ４０２のオン、オフ状態に基づいて、デジタルカメラ１００がスマートフォン２００に装着されたか否かを判定する。判定の結果、装着状態の場合はステップＳ５０５に進み、未装着の場合はステップＳ５０４に進む。
【００６２】
ステップＳ５０４では、システム制御部１２１は通信Ｉ／Ｆ１１０を介して、スマートフォン２００から撮影準備動作の開始要求（以下、撮影準備要求）を受信したか否かを判定し、受信した場合はステップＳ５０６へ進み、そうでない場合はステップＳ５０３に戻る。
【００６３】
ステップＳ５０５では、システム制御部１２１は通信Ｉ／Ｆ１１０を介して、装着状態であることをスマートフォン２００に通知する。
【００６４】
ステップＳ５０６では、システム制御部１２１は、レンズ鏡筒１０２ａを繰り出すなど撮影準備動作（レンズ鏡筒１０２ａを繰り出し動作を含む）を行う。このとき、ユーザの使い勝手を考慮して、若干の待機時間を設けるなどしても良い。
【００６５】
ステップＳ５０７では、システム制御部１２１は通信Ｉ／Ｆ１１０を介して、撮影準備動作が完了したことをスマートフォン２００に通知する。ここで、撮影準備動作が完了した状態とは、デジタルカメラ１００ではレンズ鏡筒１０２ａを繰り出し、ライブビュー画像を撮像してスマートフォン２００に送信した状態である。また、スマートフォン２００では表示部２０７にライブビュー画像を表示し、ユーザの撮影指示に応じて撮影動作を開始できる状態である。
【００６６】
＜スマートフォンの動作＞次に、図６を参照して、本実施形態のデジタルカメラ１００がスマートフォン２００に装着される際のスマートフォン２００動作について説明する。
【００６７】
なお、図６の処理は、カメラアプリケーション起動時に開始され、スマートフォン２００の不揮発性メモリ２２４に記録されたプログラムを、システムメモリ２２３に読み出してシステム制御部２２１が実行することにより実現する。後述する図９も同様である。
【００６８】
ステップＳ６０１、Ｓ６０２では、システム制御部２２１は通信Ｉ／Ｆ２１０を制御して、デジタルカメラ１００が形成したネットワークに参加し、デジタルカメラ１００との通信を確立する。
【００６９】
ステップＳ６０３では、システム制御部２２１は通信Ｉ／Ｆ２１０を介して、デジタルカメラ１００から図５のステップＳ５０５でデジタルカメラ１００が送信した装着通知を受信したか否かを判定する。判定の結果、受信した場合はステップＳ６０４に進み、受信していない場合はステップＳ６０５に進む。
【００７０】
ステップＳ６０４では、システム制御部２２１は、図７（ｂ）に示すカメラ制御画面７１０において後述するカメラ装着アイコン７０４を表示して、デジタルカメラ１００がスマートフォン２００に装着されている状態を表示部２０７に表示する。
【００７１】
ステップＳ６０５では、ユーザがデジタルカメラ１００をスマートフォン２００に装着しないで撮影するケースを想定し、システム制御部２２１は通信Ｉ／Ｆ２１０を介して、ユーザ操作による撮影準備要求があったか否かを判定する。このユーザ操作は、図７（ａ）に示すカメラ制御画面７００においてレンズアイコン７０２をタップすることに相当する。判定の結果、ユーザ操作による撮影準部要求があった場合はステップＳ６０６に進み、ない場合はステップＳ６０３に戻る。
【００７２】
ステップＳ６０６では、システム制御部２２１は通信Ｉ／Ｆ２１０を制御して、デジタルカメラ１００に撮影準備要求を送信する。デジタルカメラ１００は、図５のステップＳ５０４で、スマートフォン２００から撮影準備要求を受信したか否かを判定し、ステップＳ５０６でレンズ鏡筒１０２ａを繰り出す。なお、本実施形態では、スマートフォン２００で起動されるカメラアプリケーション画面をユーザが操作して、デジタルカメラ１００へ撮影準備要求を送信する方法を説明したが、ユーザがデジタルカメラ１００の操作部１１３の各種ボタンを操作することで撮影準備指示を行うようにしてもよい。
【００７３】
ステップＳ６０７では、システム制御部２２１は、デジタルカメラ１００から撮影準備完了通知を受信するまで待機し、受信した場合はステップＳ６０８に進む。
【００７４】
ステップＳ６０８では、システム制御部２２１は、デジタルカメラ１００の撮影準備が完了した状態をアプリケーション画面に表示する。ここでは、図７（ｃ）に示すカメラ制御画面７２０におけるレンズアイコン７０２のように、レンズ鏡筒１０２ａが繰り出している絵柄が表示される。
【００７５】
＜カメラアプリケーション画面＞次に、図７を参照して、本実施形態のスマートフォン２００に表示されるカメラアプリケーション画面について説明する。
【００７６】
図７（ａ）は、カメラアプリケーションが起動され、デジタルカメラ１００とスマートフォン２００との通信を確立した後、表示部２０７に表示されるカメラ制御画面７００である。
【００７７】
カメラ制御画面７００は、カメラアプリケーションを起動時に表示部２０７に表示されるＧＵＩである。カメラ制御画面７００には各種のアイコン７０１〜７０４が表示され、ユーザは所望のアイコンにタッチすることで各種処理の実行を指示できる。通信アイコン７０１は、スマートフォン２００がデジタルカメラ１００と通信中であることを表示している。スマートフォン２００とデジタルカメラ１００との通信が切断されると、通信アイコン７０１は非表示となる。レンズアイコン７０２は、通信中のデジタルカメラ１００のレンズ鏡筒１０２ａが繰り出している状態か、格納されている状態かを表示している。なお、レンズアイコン７０２がユーザ操作でタップされた場合は、デジタルカメラ１００に撮影準備要求を送信し、デジタルカメラ１００側でのレンズ鏡筒１０２ａの繰り出し、格納を制御する。
【００７８】
図７（ａ）のカメラ制御画面７００では、デジタルカメラ１００がスマートフォン２００に未装着の状態であるため、レンズ鏡筒１０２ａが格納された状態でのＧＵＩ（カメラ制御画面）を示している。レンズアイコン７０２にはレンズ鏡筒１０２ａが格納されている状態を示す絵柄が表示されている。画像表示部７０３には、デジタルカメラ１００との通信中にデジタルカメラ１００で撮影され、逐次送信されるライブビュー画像が表示される。図７（ａ）のカメラ制御画面７００では、デジタルカメラ１００のレンズ鏡筒１０２ａが格納されている状態であり、ライブビュー画像が取得できないため、黒い画面が表示されている。
【００７９】
図７（ｂ）は、デジタルカメラ１００とスマートフォン２００との通信が確立された後、デジタルカメラ１００がスマートフォン２００に装着され、レンズ鏡筒１０２ａが格納されている状態でのカメラ制御画面７１０を示している。
【００８０】
カメラ装着アイコン７０４は、デジタルカメラ１００がスマートフォン２００に装着されると表示され、デジタルカメラ１００がスマートフォン２００から取り外されると非表示となる。
【００８１】
図７（ｃ）は、デジタルカメラ１００とスマートフォン２００との通信を確立した後、デジタルカメラ１００がスマートフォン２００に装着され、レンズ鏡筒１０２ａが繰り出している状態におけるカメラ制御画面７２０を示している。
【００８２】
レンズアイコン７０２にはレンズ鏡筒１０２ａが繰り出されていることを示す絵柄が表示される。画像表示部７０３には、デジタルカメラ１００によって撮影され、逐次送信されるライブビュー画像が表示される。なお、ユーザがデジタルカメラ１００をスマートフォン２００に装着しないで撮影する場合は、図７（ｃ）のカメラ制御画面７２０においてカメラ装着アイコン７０４が非表示となる。
【００８３】
［実施形態２］
本実施形態は、実施形態１に対して、デジタルカメラ１００の装着判定方法が異なっている。それ以外の部分は実施形態１と共通しているため説明は省略し、本実施形態に特有の部分を中心に説明する。
【００８４】
実施形態１では、デジタルカメラ１００側でスマートフォン２００に装着されたことを判定し、レンズ鏡筒１０２ａを繰り出している。これに対して、本実施形態では、スマートフォン２００側でデジタルカメラ１００が装着されたことを判定し、撮影準備要求（レンズ鏡筒１０２ａを繰り出し動作を含む）を送信する。
【００８５】
本実施形態では、近距離無線通信（ＮＦＣ）を利用してスマートフォン２００とデジタルカメラ１００との接触を検出し、Ｂｌｕｅｔｏｏｔｈ（登録商標）などの無線通信の受信信号強度から算出されるスマートフォン２００とデジタルカメラ１００との距離が所定の閾値よりも接近した場合にデジタルカメラ１００が装着されたと判定する。なお、実施形態１のようにデジタルカメラ１００の背面に装着検知スイッチ４０２を設け、上記ＮＦＣと装着検知スイッチ４０２とを併用して装着判定を行ってもよい。
【００８６】
以下、図８及び図９を参照して、本実施形態のデジタルカメラ１００とスマートフォン２００が通信する際の動作について説明する。
【００８７】
＜デジタルカメラの動作＞次に、図８を参照して、本実施形態のデジタルカメラ１００がスマートフォン２００に装着される際のデジタルカメラ１００の動作について説明する。
【００８８】
図８の処理は、デジタルカメラ１００の電源がオンされ、スマートフォン２００と接触させた時点から開始される。
【００８９】
なお、図８におけるステップＳ８０１及びＳ８０２は、図５のステップＳ５０１及びＳ５０２と同様であるため、説明を省略し、異なる部分を中心に説明する。
【００９０】
ステップＳ８０３では、システム制御部１２１は通信Ｉ／Ｆ１１０を介して、スマートフォン２００から撮影準備要求を受信するまで待機し、受信した場合はステップＳ８０４に進む。
【００９１】
ステップＳ８０４では、システム制御部１２１は、レンズ鏡筒１０２ａを繰り出すなどの撮影準備動作を行う。このとき、ユーザの使い勝手を考慮して、若干の待機時間を設けるなどしても良い。
【００９２】
ステップＳ８０５では、システム制御部１２１は通信Ｉ／Ｆ１１０を介して、撮影準備が完了したことをスマートフォン２００へ通知する。
【００９３】
＜スマートフォンの動作＞次に、図９を参照して、本実施形態のデジタルカメラ１００がスマートフォン２００に装着される際のスマートフォン２００の動作について説明する。
【００９４】
なお、図９におけるステップＳ９０１、Ｓ９０２、Ｓ９０５、Ｓ９０８は、図６のステップＳ６０１、Ｓ６０２、Ｓ６０５、Ｓ６０８と同様であるため、説明を省略し、異なる部分を中心に説明する。
【００９５】
ステップＳ９０３では、システム制御部２２１は、上述したようにデジタルカメラ１００が装着されたか否かを判定し、装着されたと判定した場合はステップＳ９０５に進み、装着されていない場合はステップＳ９０４に進む。
【００９６】
ステップＳ９０５では、システム制御部２２１は、表示部２０７に、図７（ｂ）に示すカメラ制御画面７１０を表示する。このカメラ制御画面７１０には、カメラ装着アイコン７０４が表示されている。
【００９７】
ステップＳ９０４では、ユーザがデジタルカメラ１００をスマートフォン２００に装着しないで撮影するケースを想定し、システム制御部２２１はユーザ操作による撮影準備要求があったか否かを判定する。このユーザ操作は、図７（ａ）に示すカメラ制御画面７００において、レンズアイコン７０２をタップすることに相当する。判定の結果、ユーザ操作による撮影準部要求があった場合はステップＳ９０６に進み、ない場合はステップＳ９０３に戻る。
【００９８】
ステップＳ９０６では、システム制御部２２１は通信Ｉ／Ｆ２１０を制御して、デジタルカメラ１００に撮影準備要求を送信する。デジタルカメラ１００では、図８のステップＳ８０３で、スマートフォン２００から撮影準備要求を受信したか否かを判定し、ステップＳ８０４でレンズ鏡筒１０２ａを繰り出す。なお、本実施形態では、スマートフォン２００で起動されるカメラアプリケーション画面をユーザが操作して、デジタルカメラ１００へ撮影準備要求を送信する方法を説明したが、ユーザがデジタルカメラ１００の操作部１１３の各種ボタンを操作することで撮影準備指示を行うようにしてもよい。
【００９９】
ステップＳ９０７では、システム制御部２２１は、デジタルカメラ１００から撮影準備完了通知を受信するまで待機し、受信した場合はステップＳ９０８に進む。
【０１００】
ステップＳ９０８では、システム制御部２２１は、デジタルカメラ１００の撮影準備が完了した状態をアプリケーション画面に表示する。ここでは、図７（ｃ）に示すカメラ制御画面７２０におけるレンズアイコン７０２のように、レンズ鏡筒１０２ａが繰り出している絵柄が表示される。
【０１０１】
以上のように、本実施形態によれば、デジタルカメラ１００をスマートフォン２００に装着する作業を容易化し、装着完了前に撮影準備動作が開始されてレンズ鏡筒１０２ａが繰り出されることによる誤った操作や取扱いなどを低減することができる。具体的には、デジタルカメラ１００のレンズ鏡筒１０２ａを繰り出した状態で、デジタルカメラ１００をスマートフォン２００に装着する際に起こりうる誤操作を防止し、すみやかに撮影を開始できる。また、不用意にデジタルカメラ１００のレンズ鏡筒１０２ａが繰り出されることで、誤ってデジタルカメラ１００を落下させるなどの可能性を低減することができる。
【０１０２】
［他の実施形態］
本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１０３】
１００…撮像装置、１０４…撮像部、１１０…通信Ｉ／Ｆ、１１３…操作部、１２１…システム制御部、２００…スマートフォン、２０４、２３４…撮像部、２１０…通信Ｉ／Ｆ、２１３…操作部、２２１…システム制御部
【図１】
2017060048.tif 000003
【図２】
2017060048.tif 000004
【図３】
2017060048.tif 000005
【図４】
2017060048.tif 000006
【図５】
2017060048.tif 000007
【図６】
2017060048.tif 000008
【図７】
2017060048.tif 000009
【図８】
2017060048.tif 000010
【図９】
2017060048.tif 000011